(57)【特許請求の範囲】
【請求項１】
傾斜する屋根の工事において滑落した工具や部品を軒先で受け止めて落下を防止する屋根工事用落下防止装置であって、屋根の軒先部分の左右位置にクランプで脱着可能に固定して屋根に対して上方へ伸びる複数の支柱と、その左右の支柱に両端を固定して支柱間に張り渡されるネットと、そのネットの下端部を雨樋の内面側に重ねた状態で雨樋の縁部に脱着可能に固定するクリップとで構成し、しかも紐材を繰り出し及び巻き取り可能なリールを前記支柱に設け、そのリールから繰り出した紐材を支柱の上端部と前記ネットの上端部に貫通させてネットを張り渡し、更に前記クリップをネットに係留したことを特徴とする、屋根工事用落下防止装置。
【請求項２】
ネットの下端部の左右端を閉塞した、請求項１記載の屋根工事用落下防止装置。
【請求項３】
ネットの下端部にネットを持ち上げるための引上げ紐を複数設け、そのネットの下端部を雨樋の内面全面に重ねた、請求項１又は２いずれか記載の屋根工事用落下防止装置。
【請求項４】
引上げ紐の先端をネットの中間位置に連結し、雨樋の内面に重ねたネットを袋状に形成した、請求項３記載の屋根工事用落下防止装置。
【請求項５】
ネットの上下端部同士を連結する連結手段を設けた、請求項１〜４いずれか記載の屋根工事用落下防止装置。
【発明の詳細な説明】
【技術分野】
【０００１】
本発明は、傾斜する屋根の工事において、滑落した工具や部品を軒先で受け止めて落下を防止する技術に関する。
【背景技術】
【０００２】
傾斜する屋根を修理したり、傾斜する屋根に太陽電池パネルを取り付ける際、それに使用する工具や部品が作業者の不注意で滑落し、軒下の車両や歩行者に当たって傷付けたり怪我をさせたりすることがある。これらの事故を未然に防止するための落下防止装置が特許文献１〜４で開示されており、雨樋の位置にネットを張り渡して滑落した工具や部品を軒先で受け止めようとするものである。
【０００３】
しかし、これらの技術は、ネットを張り渡すための支柱を屋根に対してネジや釘等で取り付けるから、屋根を傷付ける問題があり、取り付けや取り外しの作業も煩雑で時間を要していた。
【先行技術文献】
【特許文献】
【０００４】
【特許文献１】実開平６−５４８２２号公報
【特許文献２】特開平７−９７８４４号公報
【特許文献３】特開平７−３００９６０号公報
【特許文献４】特開２００２−２１３０５５号公報
【発明の概要】
【発明が解決しようとする課題】
【０００５】
本発明が解決しようとする課題は、従来のこれらの問題点を解消し、屋根を傷付けることなく迅速に取り付け及び取り外しできるようにすることにある。
【課題を解決するための手段】
【０００６】
かかる課題を解決した本発明の構成は、
１）  傾斜する屋根の工事において滑落した工具や部品を軒先で受け止めて落下を防止する屋根工事用落下防止装置であって、屋根の軒先部分の左右位置にクランプで脱着可能に固定して屋根に対して上方へ伸びる複数の支柱と、その左右の支柱に両端を固定して支柱間に張り渡されるネットと、そのネットの下端部を雨樋の内面側に重ねた状態で雨樋の縁部に脱着可能に固定するクリップとで構成し、しかも紐材を繰り出し及び巻き取り可能なリールを前記支柱に設け、そのリールから繰り出した紐材を支柱の上端部と前記ネットの上端部に貫通させてネットを張り渡し、更に前記クリップをネットに係留したことを特徴とする、屋根工事用落下防止装置
２）  ネットの下端部の左右端を閉塞した、前記１）記載の屋根工事用落下防止装置
３）  ネットの下端部にネットを持ち上げるための引上げ紐を複数設け、そのネットの下端部を雨樋の内面全面に重ねた、前記１）又は２）いずれか記載の屋根工事用落下防止装置
４）  引上げ紐の先端をネットの中間位置に連結し、雨樋の内面に重ねたネットを袋状に形成した、前記３）記載の屋根工事用落下防止装置
５）  ネットの上下端部同士を連結する連結手段を設けた、前記１）〜４）いずれか記載の屋根工事用落下防止装置
にある。
【発明の効果】
【０００７】
本発明の前記１）記載の構成によれば、クランプとクリップで脱着可能に固定するから屋根を傷付けることがなく、また、ネジ止めや釘打ち等の作業が不要であるから取り付け及び取り外しを迅速に行える。
【０００８】
本発明の前記１）記載の構成によれば、支柱に設けたリールから繰り出した紐材を支柱の上端部とネットの上端部に貫通させて張り渡ししたことで、ネットが長尺でも弛まないように容易に張り渡すことができ、装置の取り外し時は、紐材をリールに巻き取ることで容易に取り外すことができる。
【０００９】
本発明の前記１）記載の構成によれば、クリップをネットに係留したのでクリップを取り外した後も別個に持ち運ぶことなく取り扱いが容易となり、紛失も防止できる。
【００１０】
本発明の前記２）記載の構成によれば、ネットの下端部の左右端を閉塞したので受け止められた工具や部品が反動で左右方向へ転がったり跳ね返ったりしても、ネットの左右端から落下し難くなる。
【００１１】
本発明の前記３）記載の構成によれば、ネットの下端部にネットを持ち上げるための引上げ紐を複数設け、そのネット下端部を雨樋の内面全面に重ねているので、受け止められた工具や部品を未使用のまま回収する場合、クリップを取り外した後に引上げ紐を上方へ引いてネットを持ち上げることで、回収が容易に行える。
【００１２】
本発明の前記４）記載の構成によれば、前記３）記載の構成と比較して引上げ紐を別個に持ち上げる必要がなく、ネットで受け止めた工具や部品をより容易に回収できる。
【００１３】
本発明の前記５）記載の構成によれば、受け止められた工具や部品を未使用のまま回収する場合、ネットの上下端部を連結手段で留めて筒状に形成することで、取り落とすことなく容易に回収できる。
【図面の簡単な説明】
【００１４】
【図１】実施例の屋根工事用落下防止装置の側面図である。
【図２】実施例の屋根工事用落下防止装置の平面図である。
【図３】実施例の屋根工事用落下防止装置の拡大図である。
【図４】実施例の他の例のネットの説明図である。
【図５】実施例の他の例のネットの説明図である。
【図６】実施例の他の例のネットの説明図である。
【発明を実施するための形態】
【００１５】
以下、本発明を実施するための形態を実施例と図面に基づいて具体的に説明する。
【実施例】
【００１６】
図１は実施例の屋根工事用落下防止装置の側面図、図２は実施例の屋根工事用落下防止装置の平面図、図３は実施例の屋根工事用落下防止装置の拡大図である。図中、１はクランプ、１ａは挟持部、１ｂは操作部、２は支柱、２ａは穴、２ｂは中間用支柱、２ｃは切欠き、３はネット、３ａは穴、４は紐材、４ａはリール、５はクリップ、６は屋根、７は雨樋である。
【００１７】
図１〜３に示すように、クランプ１は、屋根６を上下から挟むための挟持部１ａを備え、操作部１ｂで操作できるようになっている。操作部１ｂは屋根６側に設けてもよい。支柱２は左右最端に使用されるもので、クランプ１の上部に一体的に設け、その上端部に紐材４を通すための穴２ａを形成し、左右いずれかの支柱２にロック機構（図示せず）付きのリール４ａを取り付けている。中間用支柱２ｂは支柱２間の中間位置に使用されるもので、支柱２と同様にクランプ１の上部に一体的に設け、その上端部に紐材４を通す切欠き２ｃを形成している。ネット３は長さがおよそ１０ｍで、工具や部品が通過できない大きさのメッシュを有し、上端部に紐材４を通すための穴３ａを形成している。この穴３ａに代えて、紐材４を連通できる筒状に縫合してもよい。
【００１８】
取り付けは以下の手順で行われる。
１）クランプ１で屋根６の軒先部分を挟んで２本の支柱２と必要本数の中間用支柱２ｂを固定し、支柱２と中間用支柱２ｂとの間隔をネット３の長さに合せて調節する。
２）リール４ａから紐材４を繰り出し、一方の支柱２の穴２ａとネット３の穴３ａと中間用支柱２ｂの切欠き２ｃを連通して他方の支柱２の穴２ａに結び、ネット３が大きく弛まないようにリール４ａで繰り出し量を調節しながらネット３を張り渡してロックする。
３）ネット３の下端部を雨樋７の内面側に重ね、複数のクリップ５で雨樋７の縁部を挟んで固定する。
【００１９】
これにより、作業者の不注意で工具や部品が滑落しても、ネット３と雨樋７で受け止められ、軒下に落下することはない。取り外しは逆の手順で行う。このように、クランプ１とクリップ５で脱着可能に固定するから屋根６を傷付けることがなく、また、ネジ止めや釘打ち等の作業が不要であるから取り付け及び取り外しを迅速に行える。
【００２０】
図４に示すのは、実施例のネットの他の例である。図４は実施例の他の例のネットの説明図である。図中、３ｂは側面ネット、３ｅは補強部材、５ａは係留紐である。図４に示すネット３は、下端部の左右端に側面ネット３ｂを一体的に設けて閉塞し、雨樋７の内面全面に重ねている。側面ネット３ｂは補強部材３ｅで形状を保持している。また、クリップ５をネット３の予め決められた所定位置に係留紐５ａで係留している。
【００２１】
これにより、受け止められた工具や部品が反動で左右方向へ転がったり跳ね返ったりしても、ネット３の左右端から落下し難くなる。また、クリップ５は取り外した後も別個に持ち運ぶことなく取り扱いが容易となり、紛失も防止できる。その他、符号、構成、作用効果は実施例と同様である。
【００２２】
図５に示すのは、実施例のネットの他の例である。図５は実施例の他の例のネットの説明図である。図中、３ｃは引上げ紐、３ｄは面ファスナー（連結手段）である。図５に示すネット３は、その下端部に引上げ紐３ｃを設け、上下端部に面ファスナー３ｄを設けている。
【００２３】
これにより、受け止められた工具や部品を未使用のまま回収する場合、クリップ５を取り外した後に引上げ紐３ｃを上方へ持ち上げ、ネット３の上下端部を面ファスナー３ｄで留めて筒状に形成することで、取り落とすことなく容易に回収できる。なお、面ファスナー３ｄに代えて、フックで係合できるようにしてもよい。その他、符号、構成、作用効果は実施例と同様である。
【００２４】
図６に示すのは、実施例のネットの他の例である。図６は実施例の他の例のネットの説明図である。図中、５ｂは挟持部である。図６に示すネット３は、引上げ紐３ｃの先端をネット３の中間位置に予め連結して袋状に形成している。また、クリップ５をネット３の外側に係留し、そのクリップ５のみを雨樋７の縁部を挟んで固定するとともに、ネット３の下端部は雨樋７の内面全面に重ねている。クリップ５はその挟持部５ｂが揺動する構造となっている。
【００２５】
これにより、図５に示す実施例の他の例と比較して、装置を取り外す際、ネット３を上方へ引っ張るだけでクリップ５が雨樋７から脱離して取り外しが容易に行われる。また、引上げ紐３ｃを別個に持ち上げることなくネット３で受け止めた工具や部品を容易に回収でき、その引上げ紐３ｃも作業中に邪魔になることがない。その他、符号、構成、作用効果は実施例と同様である。
【産業上の利用可能性】
【００２６】
本発明の技術は、傾斜する屋根の工事に利用される。
【符号の説明】
【００２７】
１  クランプ
１ａ  挟持部
１ｂ  操作部
２  支柱
２ａ  穴
２ｂ  中間用支柱
２ｃ  切欠き
３  ネット
３ａ  穴
３ｂ  側面ネット
３ｃ  引上げ紐
３ｄ  面ファスナー（連結手段）
３ｅ  補強部材
４  紐材
４ａ  リール
５  クリップ
５ａ  係留紐
５ｂ  挟持部
６  屋根
７  雨樋
【図１】
0005351203.tif 000002
【図２】
0005351203.tif 000003
【図３】
0005351203.tif 000004
【図４】
0005351203.tif 000005
【図５】
0005351203.tif 000006
【図６】
0005351203.tif 000007